(57)【要約】【課題】排泄物と着用者の肌とを隔離するバリアシートを備えるとともに、バリアシートに形成された連通部の開口面積が狭くなるのを防止することを課題とする。【解決手段】吸収性物品は、シャーシの身体側にあって股下域においてシャーシから離間可能に形成されたバリアシート３と、バリアシート３の身体側であって前後方向Ｚに延びる一対の防漏カフ４とを含んでいる。バリアシート３と防漏カフ４とは接合部位４８を介して接合されている。接合部位４８は、シャーシから離間可能な防漏カフ４の自由縁部に位置するとともにバリアシート弾性部材３９に重なっている。【選択図】図４
2009125315.tif 000002
【特許請求の範囲】
【請求項１】
前後方向および幅方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートと、前記バリアシートの身体側であって前記幅方向に対向し前記前後方向に延びる一対の防漏カフとを含み、
前記バリアシートは、前記前後方向に延びるとともに伸長状態で取り付けられるバリアシート弾性部材を含み、
前記吸液構造体が前記股下域から前記前後ウエスト域に湾曲して、前記バリアシートと前記吸液構造体との間に空隙を形成する吸収性物品において、
前記バリアシートは、前記前後方向に延びるとともに前記幅方向に対向離間する両側部分と、前記両側部分の間をつなぐ中間部分と、前記空隙の内部に向かって排泄物を通過させることが可能であって前記両側部分および前記中間部分によって画成される連通部とを含み、
前記防漏カフは、前記シャーシに接合される固定縁部と、前記シャーシに接合されることなく前記シャーシから離間可能な自由縁部と、前記自由縁部に伸長状態で取り付けられ前記防漏カフを前記シャーシから離間させるカフ弾性部材とを含み、
前記バリアシートと前記防漏カフとは接合部位を介して接合され、前記接合部位は、前記自由縁部に位置するとともに前記バリアシート弾性部材に重なること特徴とする前記吸収性物品。
【請求項２】
前後方向および幅方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートと、前記バリアシートの身体側であって前記幅方向に対向し前記前後方向に延びる一対の防漏カフとを含む吸収性物品において、
前記バリアシートは、前記前後方向に延びるとともに前記幅方向に対向離間する両側部分と、前記両側部分の間をつなぐ中間部分と、前記両側部分に伸長状態で取り付けられ前記前後方向に延びるバリアシート弾性部材と、前記幅方向に延びるとともに前記前後方向に対向する前後端縁とを含み、前記前後端縁が前記シャーシの身体側に接合され、前記吸液構造体が前記股下域から前記前後ウエスト域に湾曲することによって、前記バリアシートと前記吸液構造体との間に空隙を形成し、
前記バリアシートは、前記空隙の内部に向かって排泄物を通過させることが可能であって前記両側部分および前記中間部分によって画成される連通部を形成し、
前記防漏カフは、前記シャーシに接合される固定縁部と、前記シャーシに接合されることなく前記シャーシから離間可能な自由縁部と、前記自由縁部に伸長状態で取り付けられるカフ弾性部材とを含み、前記自由縁部は前記シャーシの身体側に対して起立、倒伏可能であって、倒伏したときには前記バリアシートの両側部分それぞれに重なるように形成され、
前記バリアシートと前記防漏カフとは、前記バリアシート弾性部材を含む部位であって、前記自由縁部において接合され、
前記防漏カフが起立したときには、前記両側部分が前記幅方向外側へ変位することにより、前記連通部が前記幅方向に狭くなるのを抑制することを特徴とする前記吸収性物品。
【請求項３】
前記連通部は、前記中間部分を介して前記前後方向の前側に位置する前方連通部と、前記前後方向の後側に位置する後方連通部とを含み、
前記接合部位は、前記前方連通部の前記幅方向の外側に位置する前記両側部分に形成される請求項１または２記載の吸収性物品。
【請求項４】
前記前方連通部は、前記前方連通部における前記前後方向の寸法を二等分する連通中心線を含み、
前記接合部位は、前記中心線よりも前記中間部分側に位置する請求項３に記載の吸収性物品。
【請求項５】
前記バリアシートは、前記前後方向に対向し前記幅方向に延びる前後端縁を含み、前記前方連通部は、前記両側部分に位置する両内側縁と、前記両内側縁をつなぐとともに前記中間部分に位置し湾曲した閉鎖縁とを含み、
前記バリアシート弾性部材は、前記閉鎖縁の湾曲に沿った曲線部を含み、
前記接合部位は、前記曲線部に重なって形成される請求項３または４に記載の吸収性物品。
【請求項６】
前記防漏カフは、前記自由縁部の前記前後方向に延びるとともに伸長状態で取り付けられる補助弾性部材を備える請求項１〜５のいずれかに記載の吸収性物品。
【請求項７】
前記補助弾性部材は、少なくともその一部が前記バリアシート弾性部材に重なって取り付けられる請求項６記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、排泄物と着用者の肌とが接触しないように、スキンコンタクトシートを備えた使い捨ておむつとして、例えば特開２００２−１１０４４号公報（特許文献１）が公知である。この特許文献１によれば、おむつはトップシートとバックシートと、これらトップシートとバックシートの間に配置される吸収体と、トップシートの着用者肌側に配置されたスキンコンタクトシートとを備え、スキンコンタクトシートには排泄物をトップシート側に通過させる連通開口と、この連通開口を囲むように伸長状態で取り付けられる弾性部材とを備えている。
【特許文献１】特開２００２−１１０４４号公報
【発明の開示】
【発明が解決しようとする課題】
【０００３】
前記おむつは、前後方向および幅方向と、前後ウエスト域およびこれら前後ウエスト域間の股下域とを備えている。このおむつの着用状態においては、股下域が着用者の両脚付け根で挟まれることによって幅方向に湾曲する。股下域が幅方向に湾曲すると、スキンコンタクトシートも幅方向内側に押し付けられ、これが撓んで連通開口の開口面積が狭くなる傾向にある。
【０００４】
また連通開口は、曲線を画いているので、これを囲むように取り付けられた弾性部材も曲線を画き、伸長状態で取り付けられたこの弾性部材の収縮時には、曲線が直線となるように、すなわち、開口面積を狭くするように移動する。したがって、開口面積が狭くなる傾向が顕著に現れる。
連通開口の開口面積が狭くなれば、着用者の外性器が連通開口の開口縁に接触しやすくなり、接触の刺激により肌トラブルを引き起こす可能性もある。
【０００５】
本発明では、排泄物と着用者の肌とを隔離するバリアシートを備えるとともに、バリアシートに形成された連通部の開口面積が狭くなるのを防止することを課題とする。
【課題を解決するための手段】
【０００６】
本発明は、前後方向および幅方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートと、前記バリアシートの身体側であって前記幅方向に対向し前記前後方向に延びる一対の防漏カフとを含み、前記バリアシートは、前記前後方向に延びるとともに伸長状態で取り付けられるバリアシート弾性部材を含み、前記吸液構造体が前記股下域から前記前後ウエスト域に湾曲して、前記バリアシートと前記吸液構造体との間に空隙を形成する吸収性物品の改良に関わる。
【０００７】
前記吸収性物品において、前記バリアシートは、前記前後方向に延びるとともに前記幅方向に対向離間する両側部分と、前記両側部分の間をつなぐ中間部分と、前記空隙の内部に向かって排泄物を通過させることが可能であって前記両側部分および前記中間部分によって画成される連通部とを含み、前記防漏カフは、前記シャーシに接合される固定縁部と、前記シャーシに接合されることなく前記シャーシから離間可能な自由縁部と、前記自由縁部に伸長状態で取り付けられ前記防漏カフを前記シャーシから離間させるカフ弾性部材とを含み、前記バリアシートと前記防漏カフとは接合部位を介して接合され、前記接合部位は、前記自由縁部に位置するとともに前記バリアシート弾性部材に重なること特徴とする。
【０００８】
本発明は、前後方向および幅方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートと、前記バリアシートの身体側であって前記幅方向に対向し前記前後方向に延びる一対の防漏カフとを含む吸収性物品の改良に関わる。
【０００９】
前記吸収性物品において、前記バリアシートは、前記前後方向に延びるとともに前記幅方向に対向離間する両側部分と、前記両側部分の間をつなぐ中間部分と、前記両側部分に伸長状態で取り付けられ前記前後方向に延びるバリアシート弾性部材と、前記幅方向に延びるとともに前記前後方向に対向する前後端縁とを含み、前記前後端縁が前記シャーシの身体側に接合され、前記吸液構造体が前記股下域から前記前後ウエスト域に湾曲することによって、前記バリアシートと前記吸液構造体との間に空隙を形成し、前記バリアシートは、前記空隙の内部に向かって排泄物を通過させることが可能であって前記両側部分および前記中間部分によって画成される連通部を形成し、前記防漏カフは、前記シャーシに接合される固定縁部と、前記シャーシに接合されることなく前記シャーシから離間可能な自由縁部と、前記自由縁部に伸長状態で取り付けられるカフ弾性部材とを含み、前記自由縁部は前記シャーシの身体側に対して起立、倒伏可能であって、倒伏したときには前記バリアシートの両側部分それぞれに重なるように形成され、
前記バリアシートと前記防漏カフとは、前記バリアシート弾性部材を含む部位であって、前記自由縁部において接合され、前記防漏カフが起立したときには、前記両側部分が前記幅方向外側へ変位することにより、前記連通部が前記幅方向に狭くなるのを抑制することを特徴とする。
【００１０】
好ましい実施態様のひとつとして、前記連通部は、前記中間部分を介して前記前後方向の前側に位置する前方連通部と、前記前後方向の後側に位置する後方連通部とを含み、前記接合部位は、前記前方連通部の前記幅方向の外側に位置する前記両側部分に形成される。
【００１１】
好ましい他の実施形態のひとつとして、前記前方連通部は、前記前後方向の寸法を二等分する連通中心線を含み、前記接合部位は、前記中心線よりも前記中間部分側に位置する。
【００１２】
好ましい他の実施形態のひとつとして、前記バリアシートは、前記前後方向に対向し前記幅方向に延びる前後端縁を含み、前記前方連通部は、前記両側部分に位置する両内側縁と、前記両内側縁をつなぐとともに前記中間部分に位置し湾曲した閉鎖縁とを含み、前記バリアシート弾性部材は、前記閉鎖縁の湾曲に沿った曲線部を含み、前記接合部位は、前記曲線部に重なって形成される。
【００１３】
好ましい他の実施形態のひとつとして、前記防漏カフは、前記自由縁部の前記前後方向に延びるとともに伸長状態で取り付けられる補助弾性部材を備える。
【００１４】
好ましい他の実施形態のひとつとして、前記補助弾性部材は、少なくともその一部が前記バリアシート弾性部材に重なって取り付けられる。
【発明の効果】
【００１５】
本発明において、バリアシートと防漏カフとを接合し、接合部位はバリアシートの両側部分に位置するバリアシート弾性部材に重なるようにしている。したがって、バリアシートの両側部分は、防漏カフがシャーシから離間するのに伴って引っ張られるから連通開口を狭くすることがない。また、接合部位はバリアシート弾性部材に重なっているので、バリアシート弾性部材に対して直接引張力を作用させることができる。
【発明を実施するための最良の形態】
【００１６】
吸収性物品として使い捨ておむつを用い、本発明の一例を説明する。
＜第１の実施形態＞
【００１７】
図１〜６は、本発明の第１の実施形態を示している。図１はおむつ１の着用状態を示した図であり、説明のためその一部を破断している。図示したように、おむつ１は吸液性のシャーシ２とバリアシート３と防漏カフ４とを含む。シャーシ２はパンツ型に形成され、幅方向Ｘ、上下方向Ｙおよび前後方向Ｚと、身体側内面５および着衣側外面６と、前ウエスト域７、後ウエスト域８および前記前後ウエスト域７，８間に位置する股下域９を有している。シャーシ２は、内側シート１１と外側シート１２と、これら内外側シート１１，１２の間に介在する不透液性の防漏シート１３とによって形成されている。
【００１８】
前後ウエスト域７，８においては、互いのウエスト側縁部１４，１５の対向面が重なり合い、間欠的に並ぶ複数の接合部１６において互いに接合されてシーム部が形成されている。
接合部１６でウエスト側縁部１４，１５が接合されることにより、前後ウエスト域７，８で囲まれた領域にウエスト開口１８が形成されるとともに、接合部１６と股下域９とで囲まれた一対の脚開口１９が形成されている。ウエスト開口１８の周縁部に沿って複数条のウエスト弾性部材２０が延び、脚開口１９の周縁部に沿って複数条の脚弾性部材２１が延びている。それら弾性部材２０，２１は、内側シート１１と外側シート１２との間にあり、これらシート１１，１２の少なくとも一方に接着剤（図示せず）を介して伸長状態で接合されている。
【００１９】
図２は図１のＩＩ−ＩＩ線断面図であり、説明のためその一部を破断している。図２に示すように、シャーシ２の身体側内面５に吸液構造体１０が配置され、吸液構造体１０よりもさらに身体側にバリアシート３が配置され、バリアシート３のさらに身体側に防漏カフ４が配置されている。吸液構造体１０は前後ウエスト域７，８の間において前後方向Ｚに延設されているが、これは少なくとも股下域９に位置していればよい。この吸液構造体１０は、内側シート１１の内側に沿って配置された吸液性パネル２３を含む。
【００２０】
吸液性パネル２３は、ティッシュペーパ等の吸液拡散シート２４で包まれる吸液性芯材２５と、吸液拡散シート２４をさらに覆う内面シート２６とで形成されている。吸液性パネル２３の着衣側は外側シート１２の内側に配置された防漏シート１３で被覆され、芯材２５に吸収された体液がおむつ１から漏れるのを防止する。防漏シート１３は、吸液性パネル２３の底面に直接接合されることもある。
【００２１】
バリアシート３の前端縁２７と後端縁２８は、その近傍が接着または溶着により内面シート２６に接合されている。前端縁２７と後端縁２８とは、それぞれ前ウエスト域７および後ウエスト域８に位置している。図示したようなパンツ型の状態においては、股下域９が湾曲するとともに、後に説明するバリアシート弾性部材の収縮によって、バリアシート３は内面シート２６から上下方向Ｙに離間している。バリアシート３の前後端縁２７，２８は内面シート２６に接合されているので、バリアシート３全体はハンモックを吊り下げたような形状を有する。このような形状により、バリアシート３と吸液性パネル２３との間に空隙２９が形成される。防漏カフ４は後に説明するカフ弾性部材によって起立するようにしてバリアシート３から離間して、前後方向Ｚに延びる壁を形成している。
【００２２】
図３は図１の接合部１６における前後ウエスト域７，８の接合をはずし、おむつ１を前後方向Ｚと幅方向Ｘとに展開して得られるおむつ１の平面図である。おむつ１は、平面状になるように各弾性部材の伸縮力を作用させない状態を示している。おむつ１は、幅方向Ｘの寸法を二等分する縦中心線Ｐ−Ｐと、前後方向Ｙの寸法を二等分する横中心線Ｑ−Ｑとを有し、縦中心線Ｐ−Ｐに関して左右対称である。
【００２３】
シャーシ２はほぼ砂時計型に形成され、吸液性パネル２３は矩形に形成され、シャーシ２の内側シート１１に積層されている。
バリアシート３は、幅方向Ｘに対向離間する両側部分３０，３１と両側部分３０，３１の間をつなぐ中間部分３２とを有し、中間部分３２は股下域９に位置している。両側部分３０，３１および中間部分３２によって前後方連通部３３，３４を形成している。前方連通部３３は、中間部分３２から前ウエスト域７に向かって延びるほぼＵ字形であり、後方連通部３４は、中間部分３２から後ウエスト域８に向かって延びるほぼＵ字形である。前方連通部３３は、両側部分３０，３１に位置する両内側縁３５と、これら両内側縁３５をつなぐ湾曲した閉鎖縁３６とによって画成される。後方連通部３４は両側部分３０，３１に位置する両内側縁３７と、これら両内側縁３７をつなぐ湾曲した閉鎖縁３８とによって画成される。前方連通部３３と後方連通部３４とはその閉鎖縁３６，３８を形成する中間部分３２によって画成されている。
【００２４】
防漏カフ４は、縦中心線Ｐ−Ｐに対称に前後方向Ｚに延びる一対のシートから形成され、このシートは不織布やプラスチックフィルム等であり好ましくは不透液性である。各防漏カフ４は、バリアシート３の両側部分３０，３１の身体側に重なるようにして形成されている。防漏カフ４の幅方向Ｘの寸法は、バリアシート３の両側部分３０，３１と同程度であるか、あるいはそれよりも大きくなるようにしている。
【００２５】
このおむつ１を着用するときには、前方連通部３３に着用者の外性器が臨み、後方連通部３４に肛門が臨み、中間部３２に外性器と肛門との間の肌が当接するように着用状態を整える。このとき、前方連通部３３の閉鎖縁３６が横中心線Ｑ−Ｑよりも前方に位置し、後方連通部３４の閉鎖縁３８が横中心線Ｑ−Ｑの上、または横中心線Ｑ−Ｑの付近に位置していることが好ましい。このように着用すると、吸液性パネル２３が前後方向Ｚに湾曲するとともに、バリアシート３がバリアシート弾性部材３９の収縮により浮き上がって着用者の肌に接触するとともに、バリアシート３と吸液性パネル２３との間に空隙２９を形成する（図２参照）。そして前後方連通部３３，３４を介して排泄物を空隙２９に通過させ、排泄物と着用者の肌とが直接接触しないようにしている。
【００２６】
図４は、吸液性パネル２３、バリアシート３、防漏カフ４の詳細を示し説明のためその一部を破断した図である。バリアシート３は、両側部分３０，３１が吸液性パネル２３側に折り返されて二枚重ねになっている。この二枚重ねになった両側部分３０，３１の間にバリアシート弾性部材３９を図示しない接着剤によって接合している。バリアシート弾性部材３９は、両側部分３０，３１の前後方向Ｚに亘って伸長状態で取り付けられている。
【００２７】
前後方連通部３３，３４は中間部分３２から前後ウエスト域７，８に向かって延びるほぼＵ字形であり、内側縁３５，３７ではほぼ直線を有し、閉鎖縁３６，３８では曲線を画いている。バリアシート弾性部材３９は、前後方連通部３３，３４に沿って配設される。したがって、バリアシート弾性部材３９は、内側縁３５，３７の近傍においては直線部３９ａを有し、閉鎖縁３６，３８の近傍においては幅方向Ｘの内側に向かって曲線部３９ｂを有している。さらに、前後方連通部３３，３４をつなぐ中間部分３２においては、縦中心線Ｐ−Ｐに向かって凸状部３９ｃを有している。
【００２８】
バリアシート３は、少なくとも前後端縁２７，２８においてその両側部分３０，３１で折り返された部分を吸液性パネル２３の内面シート２６に接着剤４０を介して接合している。本実施形態のように、両側部分３０，３１が折り返されている場合には、両側部分３０，３１の前後方向Ｚに亘って内面シート２６に接合されていてもよい。この場合には、折り返された部分のシートが伸展してバリアシート３全体が上方へ移動可能となるからである。
【００２９】
防漏カフ４はＺ字を画くように３枚重に折り畳まれたシートから形成されている。具体的には、吸液性パネル２３とシャーシ２との間に位置する第１面４１と、第１面４１からバリアシート３の着用者側に折り返され両側部分３０または３１に重なる第２面４２と、第２面４２の着用者側に折り重ねられた第３面４３とを有している。すなわち、第１、第２、第３面４１，４２，４３の順に着用者側へと折り重なり、第１面４１と第２面４２とは、吸液性パネル２３を介して重なり、第２面４２と第３面４３とは直接重なっている。第３面４３に位置する側縁４４はカフ弾性部材４５を取り付け可能とするために折り返されている。カフ弾性部材４５は、折り返された側縁４４の間に伸長状態で接合され、前後方向Ｚに亘って取り付けられている。
【００３０】
防漏カフ４は、前後端部分４６，４７において、第１面４１を吸液性パネル２３に接合し、第２面４２をバリアシート３に接合し、第３面４３を第２面４２に接合している。この防漏カフ４にカフ弾性部材４５の収縮力が作用すると、第２面４２および第３面４３を伸展させてバリアシート３から離間して、図２に示すような壁を形成する。シャーシ２の内側シート１１に接合される部分を固定縁部とし、第２面４２および第３面４３においてバリアシート３から離間する部分、すなわち接合されていない部分を自由縁部としている。
【００３１】
このようなバリアシート３と防漏カフ４とは、接合部位４８において互いに接合される。接合部位４８は、幅方向Ｘにおいて固定縁部と自由縁部との間に形成するとともに、バリアシート弾性部材３９の曲線部３９ｂに重なる位置に形成している。より具体的には、接合部位４８は接着剤４９によって形成され、接着剤４９はバリアシート３の前端縁２７から約１５０ｍｍの位置まで帯状に塗布されている。したがって、接着剤４９は曲線部３９ｂおよび直線部３９ａにおいて連続的に塗布されている。接着剤４９の幅方向Ｘの寸法は約５ｍｍとしている。
【００３２】
接合部位４８は、前方連通部３３の前後方向Ｚの寸法を二等分する連通中心線ｑ−ｑよりも中間部分３２側に位置することが好ましい。本実施形態では、前方連通部３３の前端縁２７から閉鎖縁３６までの前後方向Ｚの寸法Ａは約１７５ｍｍとし、前端縁２７から接合部位４８の中間部分３２側の端部までの前後方向Ｚの寸法Ｂは約１５０ｍｍとしている。したがって、連通中心線ｑ−ｑよりも中間部分３２側に位置させる場合には、寸法Ｂを約８８ｍｍ以上にするのが好ましい。
バリアシート弾性部材３９の曲線部３９ｂは、前方連通部３３の閉鎖縁３６に沿って曲線を画いているが、その曲線の曲率半径は一定ではなく、中間部分３２側では緩やかにカーブし、内側縁３５に向かうにしたがってきついカーブになっている。前記接合部位４８は最もきつくカーブしている部分に形成するのが望ましい。
【００３３】
上記のような寸法関係の場合には、寸法Ｂを約８８ｍｍ以上としているが、この寸法Ｂは少なくとも約５０ｍｍとするのが望ましい。５０ｍｍ以下の場合には、防漏カフ４によってバリアシート３を引き上げる効果が小さいからである。すなわち、防漏カフ４は、その前端部分４６において第１，２，３面４１，４２，４３が互いに接合されているので、前端部分４６ではバリアシート３から離間せず、その近傍でも離間距離は短くなる。離間距離が短くなれば、防漏カフ４によってバリアシート３を引き上げる距離も短くなり、前方連通部３３の開口面積減少を防止する効果が低くなる。
【００３４】
このようなおむつを着用したときの、バリアシート３、防漏カフ４および吸液性パネル２３を示したのが図５である。図６は図４のＶＩ−ＶＩ線端面図であり、二点鎖線はおむつを着用した状態を示している。図６ではバリアシート３の側部分３１側について説明しているが、側部分３０においても同様である。
【００３５】
図５，６に示したように、おむつの着用状態においては、バリアシート弾性部材３９およびカフ弾性部材４５が収縮する。バリアシート弾性部材３９の収縮により、吸液性パネル２３が湾曲するとともに、バリアシート３が吸液性パネル２３から浮き上がるように離間する。カフ弾性部材４５の収縮により、防漏カフ４の第２面４２および第３面４３の自由縁部が吸液性パネル２３から離間する方向に伸展し、倒伏状態から起立する。防漏カフ４の起立に伴い、第２面４２に位置する接合部位４８で接合された側部分３１が吸液性パネル２３から離間する方向でかつ幅方向Ｘの外側であって矢印Ｃで示す方向に引き上げられる。このように側部分３１が引き上げられることで前方連通部３３の開口を広げるように引っ張られる。したがって、着用者の両脚に挟まれて、前方連通部３３が狭くなるような力が作用したとしても、これが狭くなるのを防止することができる。
【００３６】
接合部位４８をバリアシート弾性部材３９と重なる位置に形成したことによって、防漏カフ４による引張力を効率的にバリアシート３に作用させることができる。すなわち、バリアシート弾性部材３９が取り付けられた部分はその収縮力によりバリアシート３の弛みがない状態になっているが、バリアシート弾性部材３９が取り付けられていない部分はシートに弛みが生じている。弛んだシートを引っ張ってもバリアシート３全体が引き上げられる量は少なく、効率的にカフ弾性部材４５による引張力を作用させることができないからである。
【００３７】
接合部位４８は、バリアシート弾性部材３９の曲線部３９ｂに重なるように形成しているので、より効果的に前方連通部３３の開口を狭くするのを防止するという効果を発揮することができる。すなわち、曲線部３９ｂではその弾性部材が直線に戻るように収縮しようとする。直線に戻ろうとすると、バリアシート弾性部材３９が前方連通部３３の閉鎖縁３６をその内側に押して開口が狭くなるように作用する。しかし、この曲線部３９ｂに重なる位置に接合部位４８を形成することによって、開口を狭くするバリアシート弾性部材３９を引っ張ってその動きを規制することができる。
接合部位４８は、曲線部３９ｂにおいてカーブが最もきつくなる部分に形成しているが、このカーブが最もきつくなる部分が、上記の開口を狭くする傾向が大きいからである。
ただし、接合部位４８は曲線部３９ｂ以外の直線部３９ａに形成するようにしてもよく、バリアシート弾性部材３９の形状等によって適宜変更できるものである。
【００３８】
接合部位４８を介してバリアシート３の両側部分３０，３１を幅方向Ｘの外側に引っ張ることができるので、バリアシート３は両側から引っ張られて緊張状態を維持することができる。緊張状態が維持されるので、図２の点線で示したようにバリアシート３の中間部分３２が吸液性パネル２３側に垂れ下がってしまうのを防止できる。バリアシート３の緊張状態が維持されれば、バリアシート３を着用者の肌に確実に接触させることができる。バリアシート３の緊張状態によって、着用者の動きに追従してバリアシート３が肌に接触することができ、常にバリアシート３を着用者の肌に接触させることができる。
バリアシート３が緊張状態を維持することによって、吸液性パネル２３の湾曲を維持することもでき、この湾曲により排泄物を受ける空隙２９を維持することができる。
【００３９】
この実施形態では、接合部位４８を帯状に塗布した接着剤４９で形成しているが、例えば曲線部３９ｂのみ、あるいは直線部３９ａのみに局所的に接着剤を塗布することによって形成してもよい。
接合部位４８は、前方連通部３３においてのみ形成することとしているが、後方連通部３４にも形成するようにしてもよい。ただし、前方連通部３３に外性器を臨ませ、後方連通部３４に肛門を臨ませるようにしていることから、連通部の開口が狭くなることの問題点は前方連通部３３において発生しやすい。開口が狭くなったことにより、前方連通部３３が外性器に接触し、肌トラブルを引き起こしかねないという問題が発生する可能性があるからである。
【００４０】
バリアシート弾性部材３９として、曲線部３９ｂを有するものを用いているが、これを有している必要はなく、その前後に亘って直線を画くようなものであってもよいし、中間部分３２に向かってＶ字を画くようなものであってもよい。バリアシート弾性部材３９に接合部位４８を重ねるようにして形成しているが、必ずしもこれらが完全に一致する必要はなく、バリアシート弾性部材３９にカフ弾性部材４５による引張力が作用する程度に接近していればよい。
また前後方連通部３３，３４の二つの連通部を形成しているが、いずれか一方の連通部のみであってもよし、前後ウエスト域７，８において閉鎖されていてもよい。すなわち、連通部はＵ字形に限らず、例えばＯ字形に穴が開いているシートを用いることもできる。
【００４１】
接合部位４８を形成する接着剤４９としては一般的なゴム系ホットメルト接着剤を使用することができる。また、接合部位４８をソニックシールやヒートシール等の一般的な接合手段を用いて形成するようにしてもよい。
バリアシート３および防漏カフ４は、それぞれ一枚のシートで形成されているが、二枚のシートを張り合わせて形成するようにしてもよい。この場合には、バリアシート弾性部材３９およびカフ弾性部材４５をそれぞれ二枚のシートの間に挟んで取り付けることができる。また、防漏カフ４とバリアシート弾性部材３９に重なったときには、バリアシート弾性部材３９が直接着用者の肌に接触することがなく、肌への刺激を低減することができる。
＜第２の実施形態＞
【００４２】
図７，８は第２の実施形態を示したものであり、防漏カフ４に補助弾性部材を取り付けたことを特徴とする。この特徴以外の構成については第１の実施形態と同様であるので、その説明を省略する。
この実施形態においては、補助弾性部材として防漏カフ４の前後方向Ｚに延びる第１補助弾性部材５０と第２補助弾性部材５１とを備えている。
【００４３】
図７に示したように、第１および第２補助弾性部材５０，５１は防漏カフ４の第２面４２に取り付けるとともに、第１補助弾性部材５０を第２補助弾性部材５１よりも幅方向Ｘの内側に位置するようにしている。また、第１および第２補助弾性部材５０，５１の前後方向Ｚの寸法は、中間部分３２に亘るとともに接合部位４８にまで延びるように配設している。この実施形態では、接合部位４８に沿って前端部分４６まで、第１および第２補助弾性部材５０，５１が延びるようにしている。このような第１および第２補助弾性部材５０，５１は前後方向Ｚに伸長状態で取り付けられる。また、第１補助弾性部材５０は、接合部位４８と重なるように取り付けられている。
【００４４】
図８は図７のＶＩＩＩ−ＶＩＩＩ線端面図であり、二点鎖線はバリアシート弾性部材３９、カフ弾性部材４５、第１および第２補助弾性部材５０，５１が収縮した状態を示している。第１補助弾性部材５０が接合部位４８と重なるように取り付けられることによって、バリアシート弾性部材３９と接合部位４８を形成する接着剤４９と第１補助弾性部材５０とが重なるように位置する。
【００４５】
このような第１補助弾性部材５０が収縮した際には接合部位４８を中間部分３２方向へ引っ張ることができる（図７参照）。言い換えれば、前後方向Ｚの後方へと引っ張ることができる。このように接合部位４８を後方へと引っ張る力は、前方連通部３３の閉鎖縁３６の開口を広げるように作用する。
この第２の実施形態では、カフ弾性部材４５の収縮によって、接合部位４８を引っ張り、さらに第１補助弾性部材５０によって前方連通部３３の開口を広げる方向に引っ張ることができるので、開口が狭くなるのをより一層防止することができる。
【００４６】
第２補助弾性部材５１は、第１補助弾性部材５０にほぼ平行に、かつ幅方向Ｘの外側に取り付けられている。この第２補助弾性部材５１は接合部位４８から離れてはいるものの、接合部位４８を前後方向Ｚの後方に引っ張る効果を有するものである。また、第２補助弾性部材５１を取り付けることによって、防漏カフ４の特に第２面４２における弛みを防止することができ、より効果的にカフ弾性部材４５の引張力を接合部位４８に作用させることができる。
【００４７】
この実施形態においては第１および第２補助弾性部材５０，５１を取り付けることとしているが、必ずしも両方の弾性部材が必要ではない。いずれか一方のみを取り付ける場合には、第１補助弾性部材５０を取り付けるほうが好ましい。直接接合部位４８に引張力を作用させることができるからである。また、３条以上の補助弾性部材を設けてもよい。第１および第２補助弾性部材５０，５１としては糸状のゴムひもを用いることができるほか、伸縮性の不織布等を用いることもできる。
【００４８】
図９および図１０は、補助弾性部材の他の態様を示したものである。図９に示した補助弾性部材５２は前後方向Ｚに延びるとともに伸長状態で取り付けられている。補助弾性部材５２は接合部位４８に対して交差して重なっている。すなわち、補助弾性部材５２は、直線部５２ａと傾斜部５２ｂとを備え、少なくとも傾斜部５２ｂが接合部位４８に重なるようにしている。このように取り付けることによって、接合部位４８には、前後方向Ｚへの引張力だけでなく、幅方向Ｘへの引張力も作用する。幅方向Ｘへの引張力が作用すれば、バリアシート３の前方連通部３３の内側縁３５を幅方向Ｘの外側に引っ張ることができ、開口が狭くなるのを防止するという効果をより一層発揮することができる。
【００４９】
この実施態様では、接合部位４８は帯状のものではなく、前端部分４６から離間した局所的に接着剤を塗布した例を示している。
この態様によれば、接合部位４８に対して幅方向Ｘへの引張力を作用させることができればよく、傾斜部５２ｂの傾斜角度や傾斜の向きは適宜変更することができる。
【００５０】
図１０に示した補助弾性部材５３は、幅方向Ｘに延びるとともに伸長状態で取り付けられている。補助弾性部材５３は前後方向Ｚに二条並べて取り付けられ、少なくともその一部が接合部位４８に重なるようにしている。このような補助弾性部材５３が収縮すれば、接合部位４８を幅方向Ｘの外側に引っ張る力が作用する。接合部位４８を介してバリアシート弾性部材３９および前方連通部３３の内側縁３５も外側に引っ張られるからその開口が狭くなるのを防止することができる。
【００５１】
本発明において、バリアシート３および防漏カフ４は液抵抗性かつ通気性の不織布等、内側シート１１および外側シート１２は通気性不織布等、防漏シート１３はプラスチックフィルム等、吸液性パネル２３を形成する吸液性芯材２５はフラッフパルプと高吸収性ポリマー粒子との混合物等、それぞれ当技術分野の慣用素材を用いることができる。
【図面の簡単な説明】
【００５２】
【図１】第１の実施形態のおむつの斜視図。
【図２】図１のＩＩ−ＩＩ線断面図。
【図３】図１の展開図。
【図４】図２の要部説明図。
【図５】図４の着用状態を示した斜視図。
【図６】図４のＶＩ−ＶＩ線端面図。
【図７】第２の実施形態を示す図４と同様の説明図。
【図８】図７のＶＩＩＩ−ＶＩＩＩ線端面図。
【図９】他の態様を示す図４と同様の説明図。
【図１０】他の態様を示す図４と同様の説明図。
【符号の説明】
【００５３】
１    おむつ
２    シャーシ
３    バリアシート
４    防漏カフ
５    身体側内面
６    着衣側外面
７    前ウエスト域
８    後ウエスト域
９    股下域
１０    吸液構造体
２７    前端縁
２８    後端縁
２９    空隙
３０    側部分
３１    側部分
３２    中間部分
３３    前方連通部
３４    後方連通部
３９    バリアシート弾性部材
３９ｂ  曲線部
４５    カフ弾性部材
４８    接合部位
５０    第１補助弾性部材
５１    第２補助弾性部材
【図１】
2009125315.tif 000003
【図２】
2009125315.tif 000004
【図３】
2009125315.tif 000005
【図４】
2009125315.tif 000006
【図５】
2009125315.tif 000007
【図６】
2009125315.tif 000008
【図７】
2009125315.tif 000009
【図８】
2009125315.tif 000010
【図９】
2009125315.tif 000011
【図１０】
2009125315.tif 000012